(57)【要約】      （修正有）【課題】マウスに換わる操作制御装置を提供する。【解決手段】ケース内部の収容空間１０に操作制御モジュール２と回路モジュール３を収容し、且つケース表面上に収容空間内に連通するスリット部を開設し、操作制御モジュールは、載置台２１及びスリット部内の移動体２２を具え、載置台両側にそれぞれ固定保持部２１１を設けて、移動体２２中の基台を固定保持部に位置決めし、且つ基台外部にキャップ体２２２を設ける。また、回路モジュールの回路板上のマイクロプロセッサを基台内部の検出モジュールに接続して、使用者がキャップ体を操作するとその前後の回転により基台内部の検出モジュールによりキャップ体の回転を検出して、マイクロプロセッサにより外部電子装置上のポインタが行う同期移動を操作制御する。【選択図】図４
0003167785.tif 000002
【実用新案登録請求の範囲】
【請求項１】
外部電子装置のモニタ上のポインタの動作を操作制御する操作制御装置であって、ケースと、操作制御モジュールと、回路モジュールとから構成し、
該ケースは、内部の収容空間に操作制御モジュール及び回路モジュールを収容すると共に、ケース上面に該収容空間内に連通するスリット部を開設し、
該操作制御モジュールは、空間内に収容されると共に該スリットから突出して回転、スライド操作されるキャップ体を具え、該キャップ体内に該キャップ体の動作を検出するための検出モジュールを配置した基台を収容し、
載置台両端の固定保持部により上記キャップ体を回転、及び軸方向にスライド可能に支持し、
回路モジュールは、マイクロプロセッサを搭載した回路板を具えて、上記基台内部のキャップ体の回転を検出する検出モジュールに接続した操作制御モジュール。
【請求項２】
前記ケースは、底台及び外殻からなり、底台は、収容空間の両側の角にそれぞれ相対する複数の固定部を設け、外殻内部に固定部と結合定位可能な複数の接合部を設けて底台及び外殻を一体に結合する請求項１に記載の操作制御装置。
【請求項３】
前記ケースは、収容空間両側にそれぞれ相対する複数のラッチ部を設け、操作制御モジュールの載置台両端の固定部の相対する外側箇所にそれぞれラッチ部と相対して突き合わせ接合する嵌合部を設け、且つ載置台底部に複数の弾性部材を設けて載置台をフローティング状態に支持せしめて、上記キャップ体の押し下げ操作を検知するスイッチを配置して上記回路モジュールの回路板上のマイクロプロセッサに接続した請求項１に記載の操作制御装置。
【請求項４】
前記操作制御モジュールの載置台前方両側にそれぞれ相対する複数の押圧部を設け、載置台の前側に押圧部を押圧させる押下げ検出フレームを設け、押下げ検出フレーム底部に複数の弾性部材を設けて押下げ検出フレームにフローティング状態に支持せしめて、
該押下げ検出フレーム前側中央箇所にスイッチに接触動作する触動部を設けた請求項1記載の操作制御装置。
【請求項５】
前記ケースのラッチ部内側箇所に相対する複数の結合部を設け、操作制御モジュールの載置台前側に押下げ検出フレームを設け、且つ押下げ検出フレーム両側にそれぞれ複数のラッチを具える定位部を設けて該定位部の複数のラッチがそれぞれ結合部両側辺上に設ける嵌合溝と相対して突き合わせ接合し、押下げ検出フレーム下方に具える複数の固定台上に定位ロッドを軸回転可能に設けた請求項３に記載の操作制御装置。
【請求項６】
前記ケースの収容空間内側箇所に相対して複数の軸部を設け、回路モジュールの回路板上のマイクロプロセッサをそれぞれキャップ体両側で非接触式の移動検出を行う複数の磁性センサモジュールに接続すると共に、各磁性センサモジュールは、それぞれ軸回転可能に軸部上に接続し、且つキャップ体を押圧して一定角度の回転を行う押圧部材を具え、押圧部材上に回路板上に具えるセンサユニットと相対する磁性部材を設け、センサユニットが検出磁性部材の磁界変化に応じて信号をマイクロプロセッサに伝達し、外部電子装置のポインタをそれと同期して移動操作制御することができるようにした請求項１に記載の操作制御装置。
【請求項７】
前記磁性センサモジュールの押圧部材の軸部に被せて設けられてスライド軸回転接合する軸孔を設け、押圧部材一側に前記キャップ体を押圧して一定角度回転する接触部を設け、接触部から離れる他側に押圧部材を弾性復位させる弾性部材を設け、且つ押圧部材の弾性部材に相対する内側表面上に回路板上のセンサユニットと相対する磁性部材を設けた請求項６に記載の操作制御装置。
【請求項８】
前記回路モジュールのセンサユニットは、ホールチップ（Ｈａｌｌ
ＩＣ）又は磁性抵抗センサ（ＭＲ Ｓｅｎｓｏｒ）である請求項６に記載の操作制御装置。
【請求項９】
前記操作制御モジュールの移動体の基台両側箇所にそれぞれ軸方向に接合孔を凹設し、該接合孔に支持ロッドを接続して設け、これら２つの支持ロッドの基台の他端側はを載置台の両側の固定部内側箇所の嵌合溝内にそれぞれ嵌合して定位し、
該基台を収容して基台に対して前後回転、左右スライド動作可能に覆うと共にその両端をソケットリングで封止したキャップ体を配置した請求項１に記載の操作制御装置。
【請求項１０】
前記回路板モジュールの回路板上のマイクロプロセッサは、外部電子装置が具える接続ポートと信号伝送を行う接続インタフェースを接続する請求項１に記載の操作制御装置。
【請求項１１】
前記回路板モジュールの接続インタフェースは、ＵＳＢ又はＰＳ２の有線接続インタフェースである請求項１０に記載の操作制御装置。
【請求項１２】
前記回路モジュールの接続インタフェースは、赤外線、無線周波数（ＲＦ）又は無線伝送インタフェースである請求項１０に記載の操作制御装置。
【考案の詳細な説明】
【技術分野】
【０００１】
本考案は、コンピュータなどのマウスの代わる入力装置に関し、特に、手指により操作可能な、モニター画面上のポインタが行う同期移動を操作制御し、操作制御時の同一の姿勢の維持を確保でき、操作時の安定性及び快適性を向上する操作制御装置に関する。
【背景技術】
【０００２】
電子科学技術の絶え間ない進歩及びマルチメディア情報通信の急速な発展に伴い、各式電子装置は、人々の生活に浸透し、生活に不可欠な手段となっている。例えば、現在は、既に広範囲に使用されているパソコン、ノートブック型パソコン、携帯電話及びデジタルカメラ等があり、パソコン、ノートブック型パソコンは、個人、家庭又はオフィスで必ず使用される手段となっており、更にインターネットの躍進及び普及により、日常生活において、例えば、ニュース、データの検索及び音楽映画鑑賞、ゲーム等は、何れもパソコン又はインターネットにより達成され、インターネットを介して、友人とチャット、メッセージ伝送、メール交換を行う以外に、インターネットショッピング、予約、振込み支払い等の消費行為を提供することもできるようになっている。
【０００３】
しかしながら、パソコンは、多くの機能を有し、使用者の生活をより便利にするので、大部分の使用者は、毎日パソコンに接して、マウス、キーボード等の周辺機器を用いてパソコンの動作を操作し、即ち、スクリーン上のポインタを移動し、ドラッグ、選択、ドロップ、フレーム選択等を行ない、又はキーボードによりタイピング入力を行うことができるが、使用者がマウスを長時間使用する時、手部の姿勢は、ほぼ卓上に寄りかかった後に掌でマウス上を掴持して、移動を行ない、マウスの大きな範囲の移動を制御する場合、手腕を持ち上げ、肘でマウスの移動を連動しなければならず、この種の方式は、長時間頻繁にマウスを使用後、使用者が容易にマウスハンド（手根管症候群）症候群になる。また、あるメーカーは、前記の問題に対し、手腕用のパッドを開発し、手腕を軟質パッド上に寄りかからせて、操作上の不快感を緩和、改善しているが、その操作に関しては依然として、手腕を持ち上げてマウスを大きな範囲の移動を行なう時、手腕をパッドから離すので、操作時の同一姿勢の維持を確保することができず、且つ個人の使用習慣の違いによりマウスを持ち上げ、位置を変える動作を行なうことがあり、パッドの実用性を大幅に低減させることとなるため、当業者は、新たな設計により効率的な解決を欲している。
【先行技術文献】
【特許文献】
【０００４】
【特許文献１】特開平４−２７８６２８号公報
【考案の概要】
【考案が解決しようとする課題】
【０００５】
そこで本考案者は、従来のマウス及び手腕用パッドの使用上の問題及び欠陥に鑑み、関連データを収集し、多くの評価及び考慮を経て、当業界に長年従事した研究開発経験に基づき、絶え間なく試作及び修正を行い、本願の操作制御装置を創案した。
【０００６】
本考案の目的は、ケース内部において、操作制御モジュール及び回路モジュールを収容し、ケース表面上にスリット部を開設し、且つ操作制御モジュールは、載置台及びスリット部内に位置する移動体を含み、使用者が手腕をケース上に寄りかからせる時、手指で移動体の備えるキャップ体を押し動かし基台外部において前後に回転させることができ、このように、回路モジュールを基台内部の検出モジュールに定位させることによりキャップ体が行う回転距離の検出を持続することができ、外部電子装置上のポインタが行う同期上下移動を操作制御し、マウスの操作に相当させ、この種の方式は、使用者の操作制御時の同一姿勢を確保することができ、人体工学設計に適合し、手部にこりの状況を発生させないようにし、操作時の安定性及び快適性を向上することである。
【０００７】
本考案のもう１つの目的は、検出モジュールが、操作制御モジュールの移動体の基台内部に定位でき、キャップ体を基台及び検出モジュール外側箇所に被せ且つ覆うことができ、この構造設計により、キャップ体を操作制御時に灰塵又は不純物が基台内部に進入し、干渉の影響が検出モジュールの検出過程中でエラー又は信号伝送不安定の問題を発生させることを回避することができるようにし、検出の精度を確保し、且つ検出モジュールの設置が回路板上で占有する空間を効率敵に節減できるようにし、検出モジュールを完全に遮蔽可能にし、外観全体性を向上させ、全体的設計を更に小型化する効果を持たせることである。
【０００８】
本考案のもう１つの目的は、回路モジュールが具える回路板上のマイクロプロセッサが移動体の両側で非接触式変位検出を行う複数の磁性センサモジュールに接続し、使用者が、キャップ体が左右にスライド移動するように押し動かす時、磁性センサモジュールの押圧部材が一定角度の回転を呈するように押圧することができ、他側の磁性部材及び回路板上のセンサユニットの距離がより接近するように連動し、センサユニットを検出した磁性部材の磁場の変化に基づきマイクロプロセッサに信号を発し、外部電子装置上のポインタの同期を操作制御し、左右の移動を行なわせることができるようにし、例えば、接触式スイッチが発生する機械損耗又は接触不良の問題を回避可能にし、操作制御上の精度を向上することである。
【課題を解決するための手段】
【０００９】
本考案の操作制御モジュールは、外部電子装置と信号伝送を行い、ポインタの動作を操作制御することに用いる操作制御装置であって、ケースと、操作制御モジュールと、回路モジュールと、から構成し、該ケース内部において、操作制御モジュール及び回路モジュールを収容可能な収容空間を形成し、且つケース表面上に収容空間内に連通するスリット部を開設し、該操作制御モジュールは、載置台及びスリット部内に位置する移動体を含み、載置台両側にそれぞれ固定保持部を設け、移動体は、固定保持部上に位置する基台を有し、且つ基台外部は、キャップ体を被せ設け、該回路モジュールは、回路板を有し、回路板上に設けるマイクロプロセッサは、基台内部でキャップ体が行う回転を検出させる１組以上の検出モジュールを接続する。
【考案の効果】
【００１０】
本考案は、ケース内部において、操作制御モジュール及び回路モジュールを収容し、ケース表面上にスリット部を開設し、且つ操作制御モジュールは、載置台及びスリット部内に位置する移動体を具え、使用者が手腕をケース上に寄りかからせる時、手指で移動体の備えるキャップ体を押し動かし基台外部において前後に回転させることができ、このように、回路モジュールを基台内部の検出モジュールに定位させることによりキャップ体が行う回転距離の検出を持続することができ、外部電子装置上のポインタが行う同期上下移動を操作制御し、マウスの操作に相当させることにより、使用者の操作制御時の同一姿勢を確保することができ、人体工学設計に適合し、手部にこりの状況を発生させないようにし、操作時の安定性及び快適性を向上する。
【図面の簡単な説明】
【００１１】
【図１】本考案の立体外観図である。
【図２】本考案の立体分解図である。
【図３】本考案の他の視角の立体分解図である。
【図４】本考案の好適実施例の側面断面図である。
【図５】本考案の好適実施例が回転時の側面断面図である。
【図６】本考案の図５の局部拡大図である。
【図７】本考案の好適実施例の推移時の側面断面図である。
【図８】本考案の他の好適実施例の押圧時の平面図である。
【考案を実施するための形態】
【００１２】
上記目的及び構造を達成する為に本考案が採用する技術手段及びその効果について、図面に併せて本考案の好適実施例を挙げ、その構造及び機能を以下に詳細に説明する。
【００１３】
図１、図２、図３、図４が示すのは、それぞれ本考案の立体外観図、立体分解図、他の視角の立体分解図及び好適実施例の立体外観図であり、図中から分かるように、本考案は、ケース１、操作制御モジュール２及び回路モジュール３を具える。
【００１４】
該ケース１は、底台１１及び外殻１２からなり、底台１１及び外殻１２内部に収容空間１０を形成し、底台１１の収容空間１０左右両側の角にそれぞれ相対する複数のラッチ部１１１及び固定部１１２を設け、且つ相互に隣接するラッチ部１１１、固定部１１２の内側箇所に前方向きに相対する複数の套接部１１３、結合部１１４及び軸部１１５を順に設ける。
また、外殻１２表面上に収容空間１０内に連通するスリット部１２１を開設し、スリット部１２１左右両側箇所にそれぞれ収容溝１２２を凹設し、且つスリット部１２１前方箇所に溝１２３及び溝１２３の外部に露出して、タッチ制御機能を実行する複数の操作制御部材１２４を設け、外殻１２内部に固定部１１２及び前記軸部１１５と位置決め結合する複数の接合部１２５を設けて、底台１１及び外殻１２を一体に結合させる。
【００１５】
前記操作制御モジュール２は、ケース１の収容空間１０内に収容され、載置台２１及びスリット部１２１内に位置する移動体２２を具え、載置台２１左右両側箇所にそれぞれ上方向きに外郭１２の収容溝１２２に嵌入して移動体２２を位置決めする固定保持部２１１を設ける。
更に、載置台２１の両端の２つの固定保持部２１１の相対する外側箇所にそれぞれ底台１１のラッチ部１１１に相対して突き合わせ接合する嵌合部２１２を設け、載置台２１底部に底台１１の前記套接部１１３内に定位する複数の弾性部材２１３を設け、弾性部材２１３を介して載置台２１底部に弾性的に支持して、フローティング状態とし、載置台２１前方両側の固定保持部２１１付近にそれぞれ相対する複数の押圧部２１４及び係止部２１５を設ける。
また、移動体２２は、基台２２１及び基台２２１外部に被せて設けたキャップ体２２２を具え、且つ基台２２１左右両側箇所にそれぞれ軸向きに接合孔２２１０を凹設し、接合孔２２１０内に支持ロッド２２１１を接続し、２つの支持ロッド２２１１の基台２２１の反対側の他端は、載置台２１の固定保持部２１１内側の嵌合溝２１１１内に嵌合して位置決めする。
キャップ体２２２は、中空管であって、キャップ体２２２内部には、基台２２１外側箇所を遮蔽させる貫通通路２２２１を形成し、且つ貫通通路２２２１左右両側箇所には、それぞれ支持ロッド２２１１上に軸回転接合し、前後回転、左右スライド動作を行なうソケットリング２２２２を設ける。
【００１６】
更に、載置台２１前側は、押圧部２１４を押圧させる押下げ検出フレーム２３を設け、押下げ検出フレーム２３前側中央箇所に触動部２３１を設け、且つ押下げ検出フレーム２３左右両側にそれぞれ複数のラッチ２３２１を具える定位部２３２を設け、その定位部２３２底部には、それぞれ結合部１１４内に定位する弾性部材２３３を設け、定位部２３２の複数のラッチ２３２１は、それぞれ結合部１１４両側辺に設けた嵌合溝１１４１に相対して摺動可能に突き合わせ接合し、弾性部材２３３を介して押下げ検出フレーム２３底部に弾性的に係止してフローティング状態とし、押下げ検出フレーム２３下側の複数の固定台２３４に沿って定位ロッド２３５を軸回転可能に設ける。
【００１７】
前記回路モジュール３は、ケース１の収容空間１０内に収容され、且つ操作制御モジュール２前側に位置し、回路板３０を有し、回路板３０表面上に設けるマイクロプロセッサ３１は、移動体２２の基台２２１内部に位置してキャップ体２２２の回転を検出する1組以上の検出モジュール３２に伝送線により接続し、マイクロプロセッサ３１は、複数の操作制御モジュール１２４及び押下げ検出フレーム２３前側の触動部２３１に係止接触する複数のスイッチ３３に接続され、マイクロプロセッサ３１は、それぞれ、移動体２２両側箇所に位置して非接触式の変位検出を行う複数の磁性センサモジュール３４及び外部電子装置（図示せず）が具える接続ポートと有線又は無線信号伝送を行う接続インタフェース３５に接続し、且つ該接続インタフェース３５は、ＵＳＢ、ＰＳ２有線接続インタフェース、又は赤外線、無線周波数（ＲＦ）又はブルートゥース（Ｂｌｕｅｔｏｏｔｈ）無線伝送インタフェースである。
【００１８】
また、磁性センサモジュール３４は、押圧部材３４１を有し、押圧部材３４１上に底台１１の軸部１１５上に被さりスライド軸回転接続する軸孔３４１１を設け、押圧部材３４１の一側に載置台２１の係止部２１５に係止し、且つキャップ体２２２に押圧後一定角度の回転を行わせる接触部３４１２を設け、接触部３４１２から離れる他側にケース１の固定部１１２上に被さる押圧部材３４１を弾性復位させる弾性部材３４１３を設け、且つ押圧部材３４１の弾性部材３４１３に相対する内側表面上に回路板３０のセンサユニット３４３と相対する磁性部材３４２を設ける。
【００１９】
上記のケース１は、一体に成型されるか、２つ以上の底台１１及び外殻１２から構成され、ケース１の収容空間１０内に操作制御モジュール２及び回路モジュール３を収容し、操作モジュール２の移動体２１２は、ロッド体形状を呈し、一体に成型されるか２つ以上の底台１１及び外殻１２から構成されたケース１の収容空間１０内に操作制御モジュール２及び回路モジュール３を収容し、操作制御モジュール２の移動体２２は、ロッド体形状であって、該移動体２２の基台２２１内部は、回路モジュールの１組以上のキャップ体２２２が行う回転を検出可能な検出モジュール３２を定位し、基台２２１両側の支持ロッド２２１１を円柱、楕円柱又はその他のキャップ体２２２の回転、スライドに便利な形状構造であり、ポリオキシメチレン（POM）、フッ素樹脂又はその他の自己潤滑性質から形成され、使用者がケース２２２を押し動かして回転させる時、検出モジュール２１が備える発光部材を介してレンズ（図示せず）を経由した光線をキャップ体２２２上に投射し、光線に異なる干渉現象を発生させ、同時に検出モジュール３２によりキャップ体２２２の貫通通路２２２１内壁面が具える色、凹凸点又は平滑度に対する運動を持続し、レンズにより結像させ、更に信号をマイクロプロセッサ３１に発信し、回転移動距離及び軌跡の計算を行い、これにより外部電子装置スクリーン上のポインタの同期上下移動を操作制御する。
該キャップ体２２２は、網状織布、不織布、プラスチック、ゴム又は皮等の材質から形成され、キャップ体２２２外表面上にレーザカット、印刷又はエッチング着色の加工方式により、図形又は文字をその表面上に明確に表示する。それは、検出モジュール３２を提供し、キャップ体２２２の回転を明確に識別、検出し、全体の精巧度及び解析度を向上し、スクリーン上のポインタを定位させ、操作性が良好にするものであって、従って、前記効果を達成可能な形式は、何れも本考案に含まれる。この種の簡易な修飾及びその他の構造の変化は、何れも同様に本考案の範囲内である。
【００２０】
図４、図５、図６は、それぞれ、本考案の好適実施例の立体外観図、好適実施例の回転時の側面断面図及び図５の局部拡大図であり、図中から分かるように、本考案の操作制御装置は、パソコン、ノートブック型パソコン、携帯電話又はその他の外部電子装置（図示せず）に応用することができ、回路モジュール３の接続インタフェース３５及び外部電子装置が具える接続ポートは、有線又は無線信号伝送を行い、これにより、外部電子装置が行う入力モード及び機能を操作することができ、使用者が手腕をケース１外殻１２の溝１２３周囲のパッド（図示せず）上に持たせかける時、手指により移動体２２のキャップ体２２２が基台２２１外部で行う往復回転動作を操作制御し、この時、基台２２１内部の検出モジュール３２によりキャップ体２２２が行う回転の距離の検出を持続し、外部電子装置スクリーン上のポインタが同期して行う上下移動の動作を操作制御する。
この種の方式は、使用者の操作時同一姿勢を確保でき、人体工学設計に適合し、手部にこりを発生させず、且つ基台２２１両側の支持ロッド２２１１が自己潤性材質で形成されることにより、キャップ体２２２両側のソケットリング２２２２がその上で行う回転、スライドの動作を補助し、同時に摩擦抵抗力を減少し、操作時の安定性及び快適性を向上する。
【００２１】
回路モジュール３の検出モジュール３２は、操作制御モジュール２の移動体２２の基台２２１内部に定位し、キャップ体２２２を被せ設け、且つ基台２２１及び検出モジュール３２外側箇所を遮蔽でき、更に、検出モジュール３２がキャップ体２２２の行う回転距離に対する検出を持続することにより、外部電子装置スクリーン上のポインタの同期上下移動の動作を操作制御し、この検出モジュール３２が基台２２１内部構造設計に定位することにより使用者がキャップ体２２２を操作制御時、灰塵又は不純物が基台２２１内部に侵入し、干渉の影響で検出モジュール３２の検出過程においてエラー又は信号伝送の不安定の問題を発生することを回避し、検出モジュール３２の検出時の精度を確保し、且つ検出モジュール３２が回路板３０上の設置で占有する空間を効率的に節減し、検出モジュール３２を完全に遮蔽可能にし、外観全体性を向上し、全体設計をさらに小型する。
【００２２】
図２、図４、図７、図８が示す立体分解図、実施例の立体外観図を同時に参照し、それは、それぞれ本考案の好適実施例の推移時の側面断面図及び他の好適実施例の押圧時の平面図であり、図中から分かるように、上記操作制御モジュール２のキャップ体２２２の長さは、ケース１のスリット部１２１より小さく、基台２２１及びその内部に定位する検出モジュール外側箇所を遮蔽し、使用者がキャップ体２２２上に押し動かす時、キャップ体２２２両側のソケットリング２２２２が基台２２１両側箇所の支持ロッド上で左右にスライド移動し、且つキャップ体２２２がスリット部１２１の一側の収容溝１２２までスライドすると、ソケットリング２２２２を介し、磁性センサモジュール３４の押圧部材３４１一側の接触部３４１２を押圧して、接触部３４１２他側の磁性部材３４２を連動し、一定角度の回転を呈し、磁性部材３４２及び回路板３０上のセンサユニット３４３の距離を接近させ、磁性部材３４２が発射する磁界強度が距離の短縮に伴い、相対して増強され、センサユニット３４３を検出に検出する磁界の変化に基づき磁界強度の所定値に到達時にマイクロプロセッサ３１に信号を発し、外部電子装置スクリーン上のポインタを同期して左右移動の動作をさせ、且つ磁性ユニット３４２の電界強度により速度を減衰し、センサユニット３４３は、ホールチップ（ＨａｌｌＩＣ）又は磁界抵抗センサ（ＭＲ  Ｓｅｎｓｏｒ）であり、センサ照準の機能を有し、例えば、接触式スイッチが発生する機械疲労又は接触不良の問題を回避することができ、キャップ体２２２に左右移動を行わせる時、確実に検出して、相応じて信号を発出し、その操作制御上の精度を向上する。
【００２３】
使用者がキャップ体２２２を下向きに押圧すると、載置台２１両側の嵌合部２１２を介し、底台１１上の対応するラッチ部１１１に沿って下向きに移動し、載置台２１前方の両側の複数の押圧部２１４が下向きに押下げ検出フレーム２３に押圧し、押下げ検出フレーム２３両側箇所の定位部２３２が具える複数のラッチ２３２１は、それぞれ底台１１上の結合部の対応する嵌合溝１１４１に沿って下向きに移動後、載置台２１及び押下げ検出フレーム２３底部の複数の弾性部材２１３，２３３を押圧し、底台１１表面上に係止し、弾性変形変位させ、同時に押下げ検出フレーム２３前側中央箇所の触動部２３１を下向きに回路モジュール３の回路板３０の対応するスイッチ２２上に接触係止し、信号触発導通を行い、ポインタにクリックの効果を発生させ、且つキャップ体２２２を押下する過程において、同時にキャップ体２２２に前後の回転、左右のスライド移動の動作を行うよう押し動かすこともでき、これによりポインタを操作制御し、ウェブサイトの選択、スクロールの操作又は物件のドラッグ、フレーム選択等の機能を行い、使用者がキャップ体２２２上への押下を停止する時、弾性部材２１３，２３３が具える弾性回復力により載置台２１及び押下げ検出フレーム２３底部に弾性係止し、上向きに元の位置まで安定復位し、フローティング状態を呈する。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１  ケース
１０  収容空間
１１  底台
１１１  ラッチ部
１１２  固定部
１１３  套接部
１１４  結合部
１１４１  嵌合溝
１１５  軸部
１２  外殻
１２１  スリット部
１２２  収容溝
１２３  溝
１２４  操作制御部材
１２５  接合部
２  操作制御モジュール
２１  載置台
２１１  固定保持部
２１１１  嵌合溝
２１２  嵌合部
２１３  弾性部材
２１４  押圧部
２１５  係止部
２２  移動体
２２１  基台
２２１０  接合孔
２２１１  支持ロッド
２２２  キャップ体
２２２１  貫通通路
２２２２  ソケットリング
２３  押下げ検出フレーム
２３１  触動部
２３２  定位部
２３２１  ラッチ
２３３  弾性部材
２３４  固定台
２３５  定位ロッド
３  回路モジュール
３０  回路板
３１  マイクロプロセッサ
３２  検出モジュール
３３  スイッチ
３４  磁性センサモジュール
３４１  押圧部材
３４１１  軸孔
３４１２  接触部
３４２  磁性部材
３４３  センサユニット
３５  接続インタフェース
【図１】
0003167785.tif 000003
【図２】
0003167785.tif 000004
【図３】
0003167785.tif 000005
【図４】
0003167785.tif 000006
【図５】
0003167785.tif 000007
【図６】
0003167785.tif 000008
【図７】
0003167785.tif 000009
【図８】
0003167785.tif 000010
【手続補正書】
【提出日】平成23年3月10日(2011.3.10)
【手続補正１】
【補正対象書類名】実用新案登録請求の範囲
【補正対象項目名】請求項１
【補正方法】変更
【補正の内容】
【請求項１】
外部電子装置のモニタ上のポインタの動作を操作制御する操作制御装置であって、ケースと、操作制御モジュールと、回路モジュールとから構成し、
該ケースは、内部の収容空間に操作制御モジュール及び回路モジュールを収容すると共に、ケース上面に該収容空間内に連通するスリット部を開設し、
該操作制御モジュールは、空間内に収容されると共に該スリットから突出して回転、スライド操作されるキャップ体を具え、該キャップ体内に該キャップ体の動作を検出するための検出モジュールを配置した基台を収容し、
載置台両端の固定保持部により上記キャップ体を回転、及び軸方向にスライド可能に支持し、
回路モジュールは、マイクロプロセッサを搭載した回路板を具えて、上記基台内部のキャップ体の回転を検出する検出モジュールに接続した操作制御装置。
【手続補正２】
【補正対象書類名】実用新案登録請求の範囲
【補正対象項目名】請求項１０
【補正方法】変更
【補正の内容】
【請求項１０】
前記回路モジュールの回路板上のマイクロプロセッサは、外部電子装置が具える接続ポートと信号伝送を行う接続インタフェースを接続する請求項１に記載の操作制御装置。
【手続補正３】
【補正対象書類名】実用新案登録請求の範囲
【補正対象項目名】請求項１１
【補正方法】変更
【補正の内容】
【請求項１１】
前記回路モジュールの接続インタフェースは、ＵＳＢ又はＰＳ２の有線接続インタフェースである請求項１０に記載の操作制御装置。
【手続補正４】
【補正対象書類名】明細書
【補正対象項目名】００１７
【補正方法】変更
【補正の内容】
【００１７】
前記回路モジュール３は、ケース１の収容空間１０内に収容され、且つ操作制御モジュール２前側に位置し、回路板３０を有し、回路板３０表面上に設けるマイクロプロセッサ３１は、移動体２２の基台２２１内部に位置してキャップ体２２２の回転を検出する1組以上の検出モジュール３２に伝送線により接続し、マイクロプロセッサ３１は、複数の操作制御モジュール１２４及び押下げ検出フレーム２３前側の触動部２３１に係止接触する複数のスイッチ３３に接続され、マイクロプロセッサ３１は、それぞれ、移動体２２両側箇所に位置して非接触式の変位検出を行う複数の磁性センサモジュール３４及び外部電子装置（図示せず）が具える接続ポートと有線又は無線信号伝送を行う接続インタフェース３５に接続し、且つ該接続インタフェース３５は、ＵＳＢ、ＰＳ２有線接続インタフェース、又は赤外線、無線周波数（ＲＦ）又無線伝送インタフェースである。